【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  車両が前方向に進むとき道路から氷をかき取るのに適した氷かき取り機構を備える車両であって、
前記氷かき取り機構が、
車両に装着された工具支持体（１４）と、
前記工具支持体に装着されてかつ下方に向かって吊り下がり複数の氷かき取り工具であり、且つ各々の氷かき取り工具が前記工具支持体に対して非回転である複数の前記氷かき取り工具と、
を含み、
前記氷かき取り工具が、
前記氷かき取り工具を前記工具支持体に装着するシャンク（１８）と、
前記シャンクから下方に向かって吊り下がる切削ヘッド（１６）であり、前記切削ヘッドの下端部に沿って延在する切れ刃（２８）を有する前方に面しているすくい面（２４）を含み、且つポジすくい角（α）を規定するために前記すくい面（２４）が切れ刃から上方に向かって且つ前方に傾斜した方向に延在する前記切削ヘッド（１６）と、
を含み、且つ
行程の前方向（Ｄ）を横切る方向に延在する隣り合う氷かき取り工具の切れ刃（２８）であり、横方向に配列され且つ前記横方向で測定された各切れ刃の幅（Ｗ）より小さな距離（Ｇ）で離間配置される切れ刃（２８）、
からなる氷かき取り機構を備える車両。
【請求項２】  前記切削ヘッド（１６）が、２６〜３５°の範囲で水平から上向き傾角（β）で前記切れ刃（２８）から後方に延在する逃げ面（２６）を含む請求項１記載の車両。
【請求項３】  前記すくい面と前記逃げ面との間に形成される角度（ε）が、６５°である請求項１記載の車両。
【請求項４】  前記切削ヘッド（１６）は、本体（２２）と、該本体の前方に面している前面（２４）の後方の位置で前記本体に装着される硬質インサート（３０）と、によって形成され、
前記インサートは前記本体の材料より硬い材料で形成されることによって、前記氷かき取り工具を初期に使用する際には、前記本体の前方に面している前面（２４）がすくい面を規定し、且つ該すくい面の下側端部が切れ刃（２８）を形成し、且つ
所定の摩耗期間後には、前記インサートの前方に面している前面（３１）がすくい面を規定し且つ該すくい面の下側端部が切れ刃を形成する、
請求項１に記載の車両。
【請求項５】  前記ポジすくい角が、１〜１０°の範囲である請求項１〜４に記載の車両。
【請求項６】  前記本体（２２）の前記前方に面している各前面（２４、３１）と前記インサート（３０）とが互いに平行である請求項４に記載の車両。
【請求項７】  前記本体（２２）が鋼で形成され、且つ前記インサート（３０）が炭化物で形成される請求項４に記載の車両。
【請求項８】  前記本体（２２）が、水平方向から上向きの傾斜で前記切刃から下方に延在する逃げ面を規定する底面(２６)を含み、且つ前記インサートが、前記本体（２２）の底面（２６）を過ぎ去った先で下向きに突出する請求項４に記載の車両。
【請求項９】  前記工具支持体が環状の穴（２０）を有し、
前記シャンク（１８）が環状形であり且つそれぞれの前記環状の穴に装着され、
前記切削ヘッド（１６）が接近した横並び関係で配列することにより、隣り合って配置された切削ヘッドの間の接触が、前記シャンクの軸周りの前記工具の回転を防止する唯一の手段を構成する請求項１記載の車両。
【請求項１０】  隣り合う切れ刃のそれぞれが、０．０１０インチの最大距離（Ｇ）で離間配置される請求項９記載の車両。
【請求項１１】  前記シャンク（１８）が、上向き且つ前向きの方向に傾斜する請求項１記載の車両。
【請求項１２】  車両が前方向に進むとき道路を氷かき取るのに適した氷かき取り機構を備える車両であって、
前記氷かき取り機構が、
車両に装着された工具支持体（１４）と、
前記工具支持体に装着されてかつ下方に向かって吊り下がり複数の氷かき取り工具であり、且つ各々の氷かき取り工具が前記工具支持体に対して非回転である複数の前記氷かき取り工具と、
を含み、
前記氷かき取り工具が、
前記氷かき取り工具を前記工具支持体に装着するシャンク（１８）であり、上向き且つ前向き方向に傾斜するシャンク（１８）と、
前記シャンクから下方に向かって吊り下がる切削ヘッド（１６）であり、前記切削ヘッドの下端部に沿って延在する切れ刃（２８）を有する前方に面しているすくい面（２４）を含み、且つポジすくい角（α）を規定するために前記すくい面（２４）が切れ刃から上方に向かって且つ前方に傾斜する前記切削ヘッド（１６）と、
を含む、
氷かき取り機構を備える車両。
【請求項１３】  前記工具支持体が、上向き且つ前向きの方向に傾斜する板（１４）を備える請求項１２記載の車両。
【請求項１４】  前記切れ刃が、直線状であり且つ工程方向に対して横に延在する請求項１２記載の車両。
【請求項１５】  氷かき取り工具を工具支持体に装着するに適し、かつ長手方向の軸を規定するシャンク（１８）、及び
シャンクの下側の端部に配置される切削ヘッド（１６）が、すくい面（２４）と、該すくい面（２４）の下側の端部に沿って延在する切れ刃（２８）と、前記すくい面（２４）から離れて延在する方向に前記切れ刃（２８）から延在し且つ前記シャンクに向かって上向きに傾斜する逃げ面（２６）と、を含み、本体（２２）と該本体に装着される硬質インサート（３０）により形成される切削ヘッド、
からなり、且つ
前記本体（２２）は、すくい面（２４）を規定する前方に面する前面と、前面から後方に向かって延在し且つ逃げ面（２８）を規定する底面とを含むこと、
前記インサート（３０）は、前記本体の前面と平行且つ離間して配向した前方に面する前面（３１）を含み、さらに前記インサートは、前記インサートの前面から後方に向かって延在する底面を含み、前記インサートが、前記本体より優れた耐摩耗性を備えるために、前記本体より硬い材料で形成されこと、
前記本体（２２）の一部が、インサートの前方に位置づけられ且つ前記インサートよりさらに後方に延在し、且つ、前記本体（２２）の一部が、前記氷かき取り工具の初期摩耗期間の際に、前記インサートより摩耗しやすいので、前記本体の前面と底面とが前記工具のすくい面と逃げ面とを初期に形成し、且つ初期摩耗期間の後に、前記インサートの前面と底面とがそれぞれ救い面と逃げ面とを形成すること、
からなる氷かき取り工具。
【請求項１６】  前記本体（２２）が鋼で形成され、且つ前記インサート（３０）が炭化物で形成される請求項１５記載の氷かき取り工具。
【請求項１７】  前記シャンク（１８）が環状の外側面を有する請求項１６記載の氷かき取り工具。
【請求項１８】  前記インサートが前記本体の底面の平面よりさらに下方に向かって突出している請求項１５に記載の氷かき取り工具。
【請求項１９】  車両が前方向に進むとき道路から氷をかき取るために車両に装着するのに適した氷かき取り機構であって、
氷かき取り機構が、
直線状に配列した複数の環状の穴（２０）を有する板（１４）、及び
前記板に装着された複数の氷かき取り工具であって、それぞれの穴の一つに装着され且つ軸を規定する環状のシャンク（１８）を含む氷かき取り工具と、シャンクに装備され且つ前記板の下に配置される切削ヘッド（１６）であって、切削ヘッドが、隣のヘッドに対するヘッドの傾きがシャンクの軸周りの回転に対して工具を拘束する唯一の手段を構成するように互いの接近するように横に並んで配列する切削ヘッド、
からなる氷かき取り機構。
【請求項２０】  各々の前記氷かき取り工具が、行程の前方向（Ｄ）を横切る方向に延在する切刃を形成し、前記切刃が前記横切る方向に配置される請求項１９記載の氷かき取り機構。
【請求項２１】  各々の切削ヘッド(１６）が、前方のすくい面（２４）を有する本体（２２）を含み、且つ、逃げ面（２６）が、切刃（２８）を形成するために、前記すくい面の下側縁部から後方に延在し、
前記氷かき取り工具が、前方のすくい面（２４）から後方に離間した位置に前記本体に装着される硬質インサートをさらに備え、且つ
前記硬質インサートが前記本体より硬い材料で形成される、
請求項１９記載の氷かき取り機構。
【請求項２２】  前記本体が、鋼で形成され、且つ前記硬質インサートが炭化物で形成される、
請求項１９記載の氷かき取り機構。
【請求項２３】  隣り合う切れ刃の間隙が、０．０１０インチより大きくない請求項１９記載の氷かき取り機構。
【請求項２４】  氷かき取り工具に装着された工具支持体を備えた車両を利用して道路から氷をかき取る方法であって、
工具支持体に装着され且つ該工具支持体から下に向かって吊り下がる複数の氷かき取り工具の各々が、工具支持体内に装着され環状のシャンク（１８）と、シャンクから下方に向かって吊り下がる切削ヘッド（１６）とを含み、前記切削ヘッドがそれらの下側の縁部に沿って延在する切れ刃（２８）を備える前方に面するすくい面（２４）を含む氷かき取り方法において、
Ａ）前記シャンク（１８）と前記すくい面（２４）とが、氷と接触する切れ刃（２８）と上向き且つ前方に傾斜することによって、前記氷かき取り工具が障害物を越えて走行するように行程方向に車両を進める工程、及び
（Ｂ）前記シャンク（１８）のそれぞれの軸周りの回転からそれぞれの前記氷かき取り工具を防止する工程、
を含む道路から氷をかき取る方法。
【請求項２５】  前記切削ヘッド（１６）が、本体（２２）と、該本体の前方に面している前面の後方に位置で前記本体に装着される硬質インサート（３０）と、を備え、且つ前記インサートが前記本体より硬い材料で形成され、前記本体に接触させ且つ前記インサートに接触させずに氷を初期に処理することを含む方法であって、
前記本体（２２）の前方に面している前面がすくい面（２４）を規定し、且つ前記本体の下側端部が切刃（２８）を規定し、且つ
所定の摩耗期間後には、すくい角を規定するインサートの前方に面している前面（３１）と切刃（３３）を規定するインサートの下方縁部とを生じるために、前記本体が摩耗する、
請求項２４記載の方法。
【請求項２６】  工程Ｂは、回転の防止が氷かき取り工具を互いに隣り合って位置決めすることにより実施され、隣り合って互いの工具接触により作り出される、
請求項２４記載の方法。